(57)【要約】      （修正有）【課題】コンテンツの提供システムを通じてコンテンツを提供する方法を提供する。【解決手段】コンテンツを客体別に分割し，上記の分割された客体をコードと連繋させる段階、コードと連繋された客体をデータベースに保存する段階、特定媒体の接続を許諾する段階、接続された特定媒体から特定コンテンツの要請を受信する段階、接続された特定媒体の端末特性情報を含む再生環境情報を抽出する段階、抽出された再生環境情報を考慮して特定媒体に対応する特定客体コードをデータベースから呼び出す段階、呼び出した特定客体コードと対応する客体を抽出する段階、抽出された客体を組み合わせて特定コンテンツを生成する段階、特定コンテンツをイメージに変換する段階、イメージ上にインタラクションレイヤーを積層させる段階、及び，インタラクションレイヤーの積層されたイメージを上記の特定媒体に提供する段階を含む。【選択図】図４
2011086292.tif 000002
【特許請求の範囲】
【請求項１】
複数の媒体を通じて接続可能なコンテンツの提供システムを通じてコンテンツを提供する方法において，
コンテンツを客体別に分割し，分割された前記客体をコードと対応するように連繋させる段階；
前記コードと連繋された前記客体をデータベースに保存する段階；
前記複数の媒体のうち，特定媒体の接続を許諾する段階；
接続された前記特定媒体から特定コンテンツの要請を受信する段階；
接続された前記特定媒体の端末特性情報を含む再生環境情報を抽出する段階； 
抽出された前記再生環境情報を考慮し，接続された前記特定媒体と対応する特定客体コードをデータベースから呼び出す段階；
呼び出された前記特定客体コードと対応する客体を抽出する段階；
抽出された前記客体を組み合わせて特定コンテンツを生成する段階；
前記特定コンテンツをイメージに変換する段階；
前記イメージ上にインタラクションレイヤーを積層させる段階；及び，
前記インタラクションレイヤーの積層された前記イメージを，前記特定媒体に提供する段階を含むことを特徴とするコンテンツの提供方法。
【請求項２】
前記の特定コンテンツを生成する段階は，
少なくとも一つの前記客体を含むレイヤーを複数個積層させる段階を含むことを特徴とする請求項１記載のコンテンツの提供方法。
【請求項３】
前記の特定コンテンツを生成する段階は，
前記客体の単位でレイヤーを積層させる段階を含むことを特徴とする請求項１記載のコンテンツの提供方法。
【請求項４】
前記特定コンテンツをイメージに変換する段階で生成されたイメージは，
接続された前記特定媒体のディスプレイ規格の最大幅を超えないことを特徴とする請求項１記載のコンテンツの提供方法。
【請求項５】
前記再生環境情報は，
使用者の再生趣向特性情報をさらに含むことを特徴とする請求項１記載のコンテンツの提供方法。
【請求項６】
前記インタラクションレイヤーの所定領域には，
特定メニューと連動される機能が設定されていることを特徴とする請求項１記載のコンテンツの提供方法。
【請求項７】
前記インタラクションレイヤーは，
透明に具現されていることを特徴とする請求項６記載のコンテンツの提供方法。
【請求項８】
前記特定メニューは，
抽出された前記客体のうち，特定客体と関連したリンク情報に基づいて特定画面にリンクさせる機能を含むことを特徴とする請求項６記載のコンテンツの提供方法。
【請求項９】
前記リンク情報は，
前記特定客体と関連した特定ブランド商品を購買できる空間に連結される情報の少なくとも一つを含むことを特徴とする請求項８記載のコンテンツの提供方法。
【請求項１０】
複数の媒体を通じて接続可能なコンテンツの提供システムにおいて，
コンテンツを客体別に分割し，分割された前記客体をコードと対応するように連繋させる分割部；
前記コードと連繋された前記客体を保存するデータベース；
前記複数の媒体のうち，特定媒体の接続信号を受信し，接続された前記特定媒体から特定コンテンツの要請を受信する受信部；
接続された前記特定媒体の端末特性情報を含む再生環境情報を抽出し，抽出された前記再生環境情報を考慮し，接続された前記特定媒体と対応する特定客体コードをデータベースから呼び出す呼出部；
呼び出された前記特定客体コードと対応する客体を抽出し，抽出された前記客体を組み合わせて特定コンテンツを生成し，生成された前記特定コンテンツをイメージに変換し，該イメージ上にインタラクションレイヤーを積層させる製作部；
前記インタラクションレイヤーの積層されたイメージファイルを前記特定媒体に提供する転送部；及び，
前記特定媒体を通じた前記コンテンツの提供システムの接続を許諾し，前記分割部，前記データベース，前記呼出部，前記製作部，及び前記転送部を制御する制御部を含むことを特徴とするコンテンツの提供システム。
【請求項１１】
上記の製作部は，
少なくとも一つの客体を含むレイヤーを複数個積層させて前記特定コンテンツを生成することを特徴とする請求項１０記載のコンテンツの提供システム。
【請求項１２】
前記製作部は，
前記客体の単位でレイヤーを積層させて前記特定コンテンツを生成させることを特徴とする請求項１０記載のコンテンツの提供システム。
【請求項１３】
前記制御部は，
生成された前記イメージが接続された前記特定媒体のディスプレイ規格の最大幅を超えないように制御することを特徴とする請求項１０記載のコンテンツの提供システム。
【請求項１４】
前記再生環境情報は，
使用者の再生趣向特性情報をさらに含むことを特徴とする請求項１０記載のコンテンツの提供システム。
【請求項１５】
前記インタラクションレイヤーの所定領域には，
特定メニューと連動される機能が設定されていることを特徴とする請求項１０記載のコンテンツの提供システム。
【請求項１６】
前記インタラクションレイヤーは，
透明に具現されていることを特徴とする請求項１５記載のコンテンツの提供システム。
【請求項１７】
前記特定メニューは，
抽出された前記客体のうち，特定客体と関連したリンク情報に基づいて特定画面にリンクさせる機能を含むことを特徴とする請求項１５記載のコンテンツの提供システム。
【請求項１８】
前記リンク情報は，
前記特定客体と関連した特定ブランド商品を購買できる空間に連結される情報の少なくとも一つを含むことを特徴とする請求項１７記載のコンテンツの提供システム。
【発明の詳細な説明】
【技術分野】
【０００１】
本発明は，コンテンツの提供システム及びコンテンツの提供システムを通じてコンテンツを提供する方法に関する。
【背景技術】
【０００２】
インターネットの発達と移動通信網の拡大と共にインターネットウェブ，IPTV，移動通信，DMBなどのいわゆる多媒体の時代が到来している。
【０００３】
使用者は，デスクトップPCやノートパソコンを利用して有・無線でインターネットに接続したり，PDAやモバイルフォンを利用して無線マルチメディアサービス(DMB或いはモバイルマルチメディアサービス)に接続したり，TVを利用してインターネット放送(IPTV)を視聴するなど，多様な媒体を通じてコンテンツに接している。
【０００４】
しかし，媒体の多様性にも拘わらず使用者が接することができるコンテンツには限界がある。使用者は自分が主に利用する媒体を通じて限定されたコンテンツに接したり，使用者が所望するコンテンツの提供を便利に受けられない場合がしばしば発生する。
【０００５】
従って，一つの媒体に対して製作されたコンテンツを他の媒体に対応するように自動的に変換してくれる技術に対する研究が要求されている。
【発明の概要】
【発明が解決しようとする課題】
【０００６】
本発明の目的は複数個の客体の組み合わせを通じて接続媒体に対応する特定コンテンツを生成し，生成された特定コンテンツをイメージに変換し，上記のイメージ上にインタラクションレイヤーを積層して，接続された特定媒体に提供することにより，接続された媒体に適合する上で特定機能が遂行されるようにすることができるコンテンツを提供するコンテンツの提供方法及びコンテンツの提供システムを提供することにある。
【課題を解決するための手段】
【０００７】
上記の目的を達成するために，本発明は複数の媒体を通じて接続可能なコンテンツの提供システムを通じてコンテンツを提供する方法において，コンテンツを客体別に分割し，分割された前記客体をコードと対応するように連繋させる段階；前記コードと連繋された前記客体をデータベースに保存する段階；前記複数の媒体中の特定媒体の接続を許諾する段階；接続された前記特定媒体から特定コンテンツの要請を受信する段階；接続された前記特定媒体の端末特性情報を含む再生環境情報を抽出する段階；抽出された前記再生環境情報を考慮し，接続された前記特定媒体と対応する特定客体コードをデータベースから呼び出す段階；呼び出された前記特定客体コードと対応する客体を抽出する段階；抽出された前記客体を組み合わせて特定コンテンツを生成する段階；前記特定コンテンツをイメージに変換する段階；前記イメージ上にインタラクションレイヤーを積層させる段階；及び，前記インタラクションレイヤーが積層された前記イメージを前記特定媒体に提供する段階を含むコンテンツの提供方法を提供する。
【０００８】
上記の目的を達成するために，本発明は複数の媒体を通じて接続可能なコンテンツの提供システムにおいて，コンテンツを客体別に分割し，分割された前記客体をコードと対応するように連繋させる分割部；前記コードと連繋された前記客体を保存するデータベース；前記複数の媒体中の特定媒体の接続信号を受信し，接続された前記特定媒体から特定コンテンツの要請を受信する受信部；接続された前記特定媒体の端末特性情報を含む再生環境情報を抽出し，抽出された前記再生環境情報を考慮し，接続された前記特定媒体と対応する特定客体コードをデータベースから呼び出す呼出部；呼び出された前記特定客体コードと対応する客体を抽出し，抽出された前記客体を組み合わせて特定コンテンツを生成し，生成された前記特定コンテンツをイメージに変換し，該イメージ上にインタラクションレイヤーを積層させる製作部；前記インタラクションレイヤーの積層されたイメージファイルを前記特定媒体に提供する転送部；及び，前記特定媒体を通じた前記コンテンツの提供システムの接続を許諾し，前記分割部，前記データベース，前記呼出部，前記製作部，及び前記転送部を制御する制御部を含むコンテンツの提供システムを提供する。
【発明の効果】
【０００９】
本発明の一実施例によるコンテンツの提供方法及びコンテンツの提供システムは，一つのコンテンツを迅速且つ便利に多様な媒体に対応するコンテンツに変換して提供することができる。
【００１０】
また，本発明の一実施例によると，複数個の客体の組み合わせを通じて接続媒体に対応する特定コンテンツを生成し，生成された特定コンテンツをイメージに変換して提供するため，転送される特定コンテンツの容量を減らすことができる。
【００１１】
また，本発明の一実施例によると，イメージに変換された特定コンテンツ上にインタラクションレイヤーを積層して，接続された特定媒体に提供するため，コンテンツを提供するコンテンツの提供システムとコンテンツの提供を受ける使用者は，両方向通信ができる。
【図面の簡単な説明】
【００１２】
【図１】本発明の一実施例に係るコンテンツの提供方法を説明するためのブロック図である。
【図２】本発明の一実施例に係るコンテンツの提供システム(300)を示すブロック図である。
【図３】本発明の一実施例に係るコンテンツの提供システムを通じて媒体別にコンテンツを生成する一例を示す図面である。
【図４】コンテンツの提供システムを通じてコンテンツを提供する一例を示すフローチャートである。
【図５】客体レイヤーの積層を通じて特定コンテンツを生成する方法を示す図面である。
【図６】イメージに変換された特定コンテンツ上にインタラクションレイヤーを積層させる一例を示す図面である。
【発明を実施するための形態】
【００１３】
以下，図面を参照してコンテンツの提供システムを通じてコンテンツを提供する方法について説明する。
【００１４】
図１は，本発明の一実施例に係るコンテンツの提供方法を説明するためのブロック図である。
【００１５】
本発明の一実施例と関連したコンテンツの提供システム(300)は，ネットワーク(150)を通じて連結されて特定媒体(100)を通じて接続できる。ネットワーク(150)とは，媒体を通じて通信を遂行する網をいうものであって，インターネット網，無線通信網，放送網などを含むことができる。
【００１６】
また，特定媒体(100)は，コンテンツの提供システム(300)に接続される多様な端末機を含むことができる。例えば，モバイル端末機，TV(Television)，IPTV(Internet Protocol Television)，デスクトップPCなどを含むことができる。
【００１７】
また，コンテンツの提供システム(300)は，複数個の媒体を通じて接続できる。従って，コンテンツの提供システム(300)は多媒体を通じてコンテンツを提供することができる。上記コンテンツの提供は，コンテンツのディスプレイ，コンテンツの転送などを含むことができる。
【００１８】
上記の複数個の媒体には，TV，IPTV，移動通信(モバイル)，インターネットウェブ(Web)，DMBなどが使用できる。
【００１９】
TVは放送局で転送される放送信号を受信し，受信された放送信号を復調して映像と音声情報を表示する媒体をいう。TVはアナログ(analog)信号を使用するアナログTV，デジタル信号を使用するデジタルTVを含むことができる。
【００２０】
IPTVは超高速インターネット網を利用して放送チャンネル，VOD(Video On Demand)，両方向データサービスなどを一つの端末に提供するサービスである。IPTVを提供するための構成要素に，CP(Contents Provider)，PP(Program Provider)などからコンテンツの収集及び加工とIPTV網への円滑な転送のために圧縮するコンテンツフォーマットの決定，コンテンツを保有した著作権者の権利保護と不法流通を防止するためのコンテンツの保護技術などがある。本発明の実施例において，IPTVは単純なインターネットTVを指すものではなく，キーボードではない単純なリモコンで制御できるように設計された専用コンテンツを転送するための媒体を指す。
【００２１】
移動通信は，GSM(商標：Global System for Mobile Telecommunication)，CDMA(Code Division Multiple Access)などの第２世代移動通信，WCDMA(Global System for Mobile Telecommunication)，CDMA2000，HSDPA(High Speed Downlink Packet Access)，HSUPA(High Speed Uplink Packet Access)などの第３世代移動通信及びWibro，LTE(Long Term Evolution)などの次世代移動通信を含む概念である。また，携帯することを前提とするモバイルフォン(Mobile Phone)の相対的に小さい画面に適合するように設計された専用コンテンツを転送するための媒体を指す。
【００２２】
インターネットウェブ(Internet Web)は，http(hypertext transfer protocol)とTCP/IP(transmission control protocol-internet protocol)を利用してhtml(hyper text markup language)，xml(extended markup language)，sgml(Standard Generalized Markup Language)などのマークアップ言語で製作された文書を転送する媒体を指す。
【００２３】
DMB(Digital Multimedia Broadcasting)は，地上波DMB及び衛星DMBを含む概念として携帯可能なDMB端末機の相対的に小さい画面に適合するように設計された専用コンテンツを転送するための媒体を指す。
【００２４】
一方，明細書の全体における媒体に対応するコンテンツとは，該当媒体を通じて再生が容易であるように最適化されたコンテンツを指す。具体的な例として，インターネットウェブに対応するコンテンツは，html，xmlなどのマークアップ言語やjava scriptなどのスクリプト言語，active x，ocxなどのアドインプログラムなどからなり，TCP/IPを通じて転送されるコンテンツを指す。移動通信に対応するコンテンツは，インターネットウェブのコンテンツを移動通信端末機として利用するために簡略化したものであって，WAPを通じて転送されるコンテンツを指す。IPTVに対応するコンテンツは，MPEG-2，MPEG-4，WMV-9，H.264などにエンコードされたマルチメディアファイルを指す。DMBに対応するコンテンツは，MPEG-2またはMPEG-4にエンコードされたマルチメディアファイルであって，IPTVよりは相対的に容量が小さいようにエンコードされたファイルを指す。
【００２５】
図２は，本発明の一実施例に係るコンテンツの提供システム(300)を示すブロック図である。上記のコンテンツの提供システム(300)は，分割部(310)，データベース(311)，呼出部(312)，製作部(313)，受信部(314)，転送部(315)，出力部(316)，分析部(317)，リンク部(318)，及び制御部(319)を含むことができる。上記のコンテンツの提供システム(300)に図示された構成要素は，実施態様により一部の構成を省略することもでき，他の構成を追加することもできる。
【００２６】
分割部(310)はコンテンツを客体別に分割することができる。本明細書における客体とは，上記のコンテンツを成す構成要素をいう。例えば，コンテンツがイメージとテキストから構成された記事の場合，イメージ及びテキスト共に一つの客体になり得る。また，上記のイメージが第１イメージ領域と第２イメージ領域に細分化できる場合，上記第１イメージ領域及び第２イメージ領域もそれぞれ客体になり得る。
【００２７】
また，分割部(310)は分割された客体を特定コードと連繋する役割を遂行することができる。特に，分割部(310)は各客体の属性を特定コードと連繋させることができる。例えば，客体AはAコードと連繋され，客体BはBコードと連繋され得る。本明細書における客体の属性とは，特定客体を他の客体と区分するための本質的な特性をいう。客体のすべての特性を特定コードと連繋させる方法に比較し，客体の属性のみを抽出して連繋させる方法ではコンテンツの提供システム(300)の負荷を最小化することができる。
【００２８】
例えば，コンテンツ1は客体A，客体B，及び客体Cから構成され，コンテンツ2は客体A，客体B，及び客体Dから構成されていると仮定する。仮に，コンテンツ単位でコンテンツをデータベース(311)に保存する場合，データベース(311)にはコンテンツ1(客体A＋客体B＋客体C)及びコンテンツ2(客体A＋客体B＋客体D)が保存され，客体A及び客体Bが重複保存されることがあり得る。しかし，客体別に分割し，分割された客体及び分割された客体と連繋された特定コードがデータベース(311)に保存される場合，データベース(311)に保存される情報またはデータは，客体A，客体B，客体C，客体D，及び該当客体に連繋されたコード情報のみを保存すればよい。従って，上記の客体別の分割方法を利用してコンテンツを製作し，保存する場合，データベース(311)に保存される情報またはデータ量を減らすことができる。
【００２９】
また，コンテンツが客体別に分割されている場合，上記のコンテンツを提供するときにも，ロード(loading)時間を減らすことができる。
【００３０】
一方，上記のように，客体が特定コードと連繋されている場合，各コードのトラッキング(tracking)チェックを通じて各客体の追跡情報が算出可能である。客体の追跡情報とは，客体の跡と関連した情報をいう。上記の追跡情報は客体の抽出回数，抽出された客体の移動経路に対する情報，抽出された客体の変換情報などを含むことができる。
【００３１】
本発明の一実施例によると，コンテンツの提供システム(300)は各コードが抽出された回数に対応するように各コードにナンバーリングをすることにより，各コードのトラッキングをチェックすることができる。最初に抽出される客体Aは"A_0001"というコードと連繋させ，2番目に抽出される客体Aは"A_0002"というコードと連繋させることができる。従って，客体属性と連繋されたコード(例えば，客体Aの場合"A")の後にナンバーリングされる数字(例えば，0001, 0002)を通じて各客体の抽出回数をチェックすることができる。
【００３２】
データベース(311)は，各種の情報が保存される空間である。例えば，特定コンテンツが上記のデータベース(311)に保存できる。特定コンテンツは特定ブランドに関連した記事，動画，イメージ，製品の詳細情報，製品に関する記事，製品イメージ，及び製品動画などを含むことができる。特に，特定コンテンツを成す客体が特定コードと連繋されて保存できる。これに対する詳しい説明は後述する。
【００３３】
呼出部(312)は，接続された特定媒体(100)の再生環境情報を抽出することができる。上記の再生環境情報は既に保存されたデータベース(311)から抽出することもでき，上記の接続された特定媒体(100)から受信することもできる。再生環境情報は接続された特定媒体(100)の端末特性情報，使用者の再生趣向特性情報などを含むことができる。上記の端末特性情報は，上記の接続された媒体のデコード性能情報及びディスプレイ情報などを含むことができる。使用者の再生趣向特性情報は，使用者固有の再生趣向及び選好度に対する情報で，これは使用者の選好度または端末の性能から起因され得る。使用者の再生趣向特性情報は，コンテンツが仮想のカメラの撮影を通じてディスプレイされる動画や停止映像の場合，仮想カメラの焦点距離に対する情報，仮想３次元場面でカメラの位置と関連した情報，仮想３次元場面で仮想カメラが向かう位置に関連した情報などを含むことができる。また，呼出部(312)は抽出された再生環境情報を考慮し，上記の接続された特定媒体と対応する特定客体コードをデータベース(311)から呼び出すことができる。
【００３４】
製作部(313)は，上記の呼出部(312)から呼び出した特定客体コードと対応する客体を抽出し，抽出された客体を組み合わせて特定コンテンツを生成することができる。また，製作部(313)は，生成された特定コンテンツをイメージに変換する役割を遂行することができる。そして，製作部(313)は，上記のイメージ上にインタラクションレイヤー(Interaction layer)を積層させることができる。本明細書におけるインタラクションレイヤーは，特定機能が遂行されるように設定されたインタフェース(interface)を意味する。例えば，両方向通信が可能であるように特定機能が設定されたレイヤーをいう。上記の両方向通信は特定媒体(100)とコンテンツの提供システム(300)との通信を意味する。客体の組み合わせを通じてコンテンツを生成する具体的な方法に対しては後述する。
【００３５】
受信部(314)は，多様な信号，またはコンテンツを受信することができる。例えば，受信部(314)は，特定媒体の接続信号を受信したり，コンテンツの提供者からコンテンツを受信することができる。上記の受信された接続信号は制御部(319)に伝達されて分析できる。制御部(319)は上記の接続信号を分析し，接続された媒体の種類，接続媒体の位置情報，または接続媒体の使用者情報などを分析することができる。制御部(319)は，上記の分析された情報を基に特定媒体の接続許否を決定することができる。上記の接続が許諾された場合，コンテンツの提供システム(300)は接続媒体(100)とデータ通信を行うことができる。
【００３６】
一方，上記の受信部(314)は，接続される媒体に対応するように受信通路を備えることもできる(図示せず)。例えば，モバイルを通じた接続信号の第１受信通路で受信され，インターネットウェブを通じた接続信号は第２受信通路で受信され，TVを通じた接続信号は第３受信通路で受信できる。また，受信部(314)は，上記の接続される媒体に対応する受信通路を通じて接続媒体から特定データを受信することもできる。
【００３７】
転送部(315)は，データベース(311)に保存されたコンテンツ(インタラクションレイヤーの積層されたイメージを含む)または上記のデータベース(311)に保存されたコンテンツが確認できるリンク情報を外部空間に転送する。外部空間とは，上記のコンテンツの提供システム(300)以外の外部空間をいう。例えば，上記の外部空間は使用者端末機，広告主端末機，特定ウェブサイト(または特定ウェブサーバー)などを含むことができる。上記の外部空間は，外部の使用者空間を含むことできる。外部の使用者空間は，コンテンツの提供システム(300)の外部に存在するシステムで提供する使用者と連繋された空間を意味する。例えば，特定使用者のミニホームページ，ブログ，電子メール(E-mail)などを含むことができる。
【００３８】
一方，転送部(315)は，制御部(319)の制御を通じて，コンテンツの提供システム(300)に接続された媒体を考慮し，特定データ(例えば，コンテンツ，インタラクションレイヤーの積層されたイメージまたはリンク情報)を転送することができる。例えば，転送部(315)はモバイル端末機にモバイル用のコンテンツを，TVにはTV用のコンテンツを転送することができる。
【００３９】
一方，上記の転送部(315)は，接続される媒体に対応するように転送通路を備えることもできる(図示せず)。例えば，モバイルに転送されるデータは第１転送通路を通じて転送され，インターネットウェブに転送されるデータは第２転送通路に転送され，TVに転送されるデータは第３転送通路を通じて転送できる。
【００４０】
出力部(316)は，各種の情報が含まれた画面を出力する。例えば，入力された検索語にマッチングされた検索結果を表す画面，コンテンツを探索するための画面，特定コンテンツの再生画面などをディスプレイする。
【００４１】
分析部(317)は使用者の行動履歴を分析して使用者の行動パターン情報を生成する。例えば，分析部(317)はインターネットURL，IPTV運営システム及び移動通信システムからフィードバックされた行動パターン情報を分析したり，コンテンツの提供システム(300)に保存されたコンテンツまたはコンテンツを構成する特定客体の利用回数などを分析して使用者の行動履歴を分析することができる。また，分析部(317)はコンテンツに対する反応を分析してコンテンツまたは特定客体の反応情報を生成することもできる。例えば，コンテンツの提供システム(300)から提供される特定コンテンツまたは特定客体のスクラップ数，コメント数，上記の特定コンテンツの編集回数などが反応情報になり得る。
【００４２】
リンク部(318)は，特定リンク情報に基づいて特定空間に連結させることができる。リンク情報とは，特定空間に連結するための情報をいうものであって，URL(Uniform Resource Locator)情報がリンク情報の一例になり得る。リンク情報により連結される特定空間は，上記のコンテンツの提供システム(300)に存在することもでき，上記のコンテンツの提供システム(300)の外部に存在することもできる。
【００４３】
制御部(319)は，分割部(310)，データベース(311)，呼出部(312)，製作部(313)，受信部(314)，転送部(315)，出力部(316)，分析部(317)，及びリンク部(318)で遂行する全般的な機能を有機的に制御することができる。
【００４４】
以下，コンテンツの客体化を通じて特定コンテンツを生成する方法についてより詳しく説明する。
【００４５】
図３は，本発明の一実施例に係るコンテンツの提供システム(300)を通じて媒体別にコンテンツを生成する一例を示す図面である。
【００４６】
図示するように，客体別にコンテンツが分割された場合，分割された客体を媒体別の性格に合うように組み合わせて特定コンテンツを生成することができる。生成された特定コンテンツは，使用者に提供したりイメージに変換できる。データベース(311)は，コンテンツを構成する客体に対するマッピングテーブル(mapping table) (401)及び分割された客体が保存された客体データベース(402)を含むことができる。例えば，呼出部(312)は，モバイル用のコンテンツ1を提供するために，客体構成コードA，B，及びCを呼び出すことができる。ここで，客体構成コードとは，分割された特定客体と連繋された特定コードをいう。上記の客体構成コードA，B，及びCが呼び出されると，製作部(313)は，上記の呼び出されたコードと連繋された客体を客体データベース(402)から抽出して組み合わせた後，特定コンテンツを生成することができる。また，呼出部(312)はインターネット用のコンテンツ1を提供するために，客体構成コードA，B，C，及びDを呼び出すことができる。上記の客体構成コードA，B，C，及びDが呼び出されると，製作部(313)は上記の呼び出されたコードと連繋された客体を客体データベース(402)から抽出して組み合わせた後，特定コンテンツを生成することができる。モバイル用のコンテンツ1とインターネット用のコンテンツ1の構成客体が異なる理由は，媒体別の環境から起因する。例えば，媒体別にデコード能力，再生能力，またはディスプレイサイズが異なるため，コンテンツを構成する客体構成コードが異なり得る。上記のような方式を通じて生成された複数個のコンテンツは各媒体を通じて提供できる。
【００４７】
図４は，コンテンツの提供システム(300)を通じてコンテンツを提供する一例を示すフローチャートである。
【００４８】
分割部(310)はコンテンツを客体別に分割することができる(S401)。例えば，コンテンツがイメージとテキストから構成された記事である場合，イメージ及びテキスト共に一つの客体として取扱い，又はイメージとテキストに分割することができ，コンテンツが複数個のイメージから構成された場合，各イメージを客体として取り扱ってイメージ別に分割することもできる。
【００４９】
また，分割部(310)は分割された客体を特定コードと連繋させることができる(S402)。特に，分割部(310)は各客体の属性を特定コードと連繋させることができる。
【００５０】
特定コードと連繋された客体は，データベース(311)に保存できる(S403)。上記の特定コードと連繋された客体の保存と関連した説明は，図３にてすでに説明しているため，ここでは省略することにする。
【００５１】
受信部(314)は，特定媒体の接続信号を受信することができる(S404)。受信部(314)が使用者の接続信号を受信した場合，制御部(319)は接続許否を判断することができる。例えば，制御部(319)は上記の接続信号を分析し，接続された媒体の種類，接続媒体の位置情報，または接続媒体の使用者情報などを分析することができる。制御部(319)は，上記の分析された情報を基に特定媒体の接続許否を決定することができる。使用者の接続が正常に行われた場合，制御部(319)は特定媒体を通じた使用者の接続を許諾することができる。
【００５２】
また，受信部(314)は接続された媒体(100)から特定コンテンツの要請を受信することができる。上記の特定コンテンツの要請とは，上記の接続媒体(100)に最適化されたコンテンツの要請を意味することができる。従って，接続された媒体がモバイルの場合，上記の特定コンテンツの要請は，モバイル環境に最適化されたコンテンツ(例えば，モバイル環境に最適化された特定動画)の要請を意味することができる。上記の特定コンテンツの要請を受信した場合，呼出部(312)は接続された特定媒体の再生環境情報を抽出することができる(S405)。上記の再生環境情報は，接続された特定媒体(100)の端末特性情報，使用者の再生趣向特性情報などを含むことができる。上記の再生環境情報がデータベース(311)に既に保存された場合，呼出部(312)はデータベース(311)から抽出することができる。また，呼出部(312)は接続された媒体(100)を通じて抽出することもできる。
【００５３】
上記の接続媒体の再生環境情報が抽出された場合，呼出部(312)は抽出された再生環境情報を考慮し，特定客体コードをデータベース(311)から呼び出すことができる(S406)。
【００５４】
製作部(313)は，呼び出されたコードと連繋された客体の組み合わせを通じて特定コンテンツを生成することができる(S407)。客体の組み合わせを通じて特定コンテンツを生成する方法は多様であり得る。その一例として，客体レイヤーの積層を通じて特定コンテンツを生成する方法がある。
【００５５】
図５は，客体レイヤーの積層を通じて特定コンテンツを生成する方法を示す図面である。
【００５６】
図５(ａ)は，"A"客体を含んでいる第１客体レイヤー(503)，"B"客体を含んでいる第２客体レイヤー(502)，及び"C"客体を含んでいる第3客体レイヤー(501)が積層される過程を示す図面である。図示された客体レイヤー(501, 502, 503)には一つの客体が含まれているが，客体レイヤーに複数個の客体が含まれていることもあり得る。
【００５７】
図５(ｂ)は，図５に図示された客体レイヤー(501, 502, 503)が積層されて形成された一つの特定コンテンツ(504)を示す。上記の特定コンテンツ(504)はレイヤーから構成され得る。即ち，特定コンテンツ(504)は，複数個の客体レイヤーの積層を通じて生成され得る。上記の客体レイヤーの積層を通じて客体を組み合わせる過程がより容易に遂行できる。
【００５８】
製作部(313)は，上記の客体レイヤーの積層を通じて生成された特定コンテンツをイメージに変換させることができる(S408)。上記のイメージ変換を通じて特定コンテンツの容量を減らすことができる。
【００５９】
そして，製作部(313)はイメージに変換された特定コンテンツ上にインタラクションレイヤーを積層させることができる(S409)。上記のイメージ上にインタラクションレイヤーを積層する方法に対しては，図６により説明する。
【００６０】
図６は，イメージに変換された特定コンテンツ上にインタラクションレイヤーを積層させる一例を示す図面である。
【００６１】
図６(ａ)でレイヤー(610)は，複数個の客体の組み合わせを通じて生成された特定コンテンツがイメージに変換されたものを示す。即ち，レイヤー(610)は，特定コンテンツをイメージに圧縮したものを示す。レイヤー(620)は，インタラクションレイヤーを示す。上記のレイヤー(620)の所定領域(622, 623, 624)には特定メニューと連動される機能が設定できる。上記のレイヤー(620)は，特定コンテンツのディスプレイのために透明に具現され得る。上記のレイヤー(620)が透明に具現される場合，レイヤー(610)に含まれる客体が鮮明に確認できる。
【００６２】
上記の特定メニューは，特定コンテンツを構成する客体のうち，特定客体と関連したリンク情報に基づいて特定画面にリンクさせる機能を含むことができる。上記のリンク情報は，上記の特定客体を利用して最初に製作されたコンテンツを確認できる空間に連結される情報，特定客体と関連した特定ブランド商品を購買できる空間に連結される情報，上記の特定客体と連関した客体を確認できる空間に連結される情報などを含むことができる。
【００６３】
また，上記のレイヤー(620)の所定領域(622, 623, 624)の設定機能，位置及びサイズの少なくとも一つはレイヤー(610)の状態に関係なく固定されていることもあり得るが，レイヤー(610)の状態により変動されることもあり得る。一例として，上記のレイヤー(610)に客体の配置情報(611)を示す客体配置情報が挿入できる。上記の客体配置情報(611)は，バーコード形態として具現され得る。そして，レイヤー(620)の一領域には客体の配置情報(611)を読み取ることができる手段(621)が備えられ得る。この場合，上記の手段(621)を通じて読み取った客体の配置情報に応じてレイヤー(620)の所定領域(622, 623, 624)の設定機能，位置及びサイズの少なくとも一つは変動され得る。図６(ｂ)でレイヤー(630)はレイヤー(610)とレイヤー(620)が積層された形態である。
【００６４】
一方，本発明の一実施例によると，図示はしていないが，特定コンテンツを成す客体レイヤーが複数個の場合，各客体レイヤーと対をなすようにインタラクションレイヤーを積層することができる。この場合，それぞれの客体レイヤーはそれぞれイメージに変換され得る。
【００６５】
上記のイメージとインタラクションレイヤーの積層されたレイヤー(630)は，転送部(315)を通じて特定媒体(100)に転送され得る(S410)。そうすると，上記の特定媒体(100)の使用者は，転送された上記のレイヤー(630)を通じて最適の特定コンテンツを確認するとともに，特定メニュー機能が遂行されるようにすることができる。即ち，上記の使用者は上記のレイヤー(630)のイメージを通じて要請した特定コンテンツを確認することができ，インタラクションレイヤーの機能が設定された所定領域の選択を通じて関連した機能が遂行されるようにすることができる。例えば，インタラクションレイヤーに特定客体と関連した商品を購買できる空間に連結されるようにする機能が設定された場合(特定のリンク情報が挿入された場合)，使用者は上記のインタラクションレイヤーの所定領域の選択を通じて上記の特定客体と関連した商品の購買空間を確認できる。
【００６６】
また，本発明の一実施例によると，前述した方法は，プログラムが記録された媒体にコンピュータが読み取れるコードとして具現することが可能である。コンピュータが読み取れる媒体は，コンピュータシステムにより読み取られるデータが保存される全種類の記録装置を含む。コンピュータが読み取れる媒体の例としては，ROM，RAM，CD-ROM，磁気テープ，フロッピー（登録商標）ディスク，光データ保存装置などがあり，またキャリアウェーブ(例えば，インターネットを通じた転送)の形態で具現されることも含む。
【００６７】
以上で説明したコンテンツの提供システム及びコンテンツの提供方法は，上記で説明した実施例の構成と方法に限定して適用するだけでなく，上記の実施例に対し多様な変形を加え，各実施例の全部または一部を選択的に組み合わせた構成とすることもできる。
【図１】
2011086292.tif 000003
【図２】
2011086292.tif 000004
【図３】
2011086292.tif 000005
【図４】
2011086292.tif 000006
【図５】
2011086292.tif 000007
【図６】
2011086292.tif 000008